【手続補正書】
【提出日】平成18年4月3日(2006.4.3)
【手続補正１】
【補正対象書類名】特許請求の範囲
【補正対象項目名】全文
【補正方法】変更
【補正の内容】
【特許請求の範囲】
【請求項１】
製造環境における製造処理工程を管理するためにデータを通信可能にインターフェースする方法であって、
製造処理工程に関するプロセスデータを製品品質データベースを含む製造データリソース（ＭＤＲ）データベース内に格納するステップと、
前記製造処理工程に関する製造参照情報を格納するステップと、
前記格納されたプロセスデータを選択的に取得するステップと、
前記取得されたプロセスデータを分析して、前記製造処理工程のプロセス性能のリアルタイムの評価を示すグラフィカル・ディスプレイを与えるステップと、
前記グラフィカル・ディスプレイに基づいて、前記格納された製造参照情報を選択的に取得する質問を定義するステップと、
前記質問を実行して、前記製造参照情報の参照ディスプレイを与えるステップと、
与えられた参照情報を用いて前記製造処理工程に変更を行うのを助けるステップと、ｋらなり、前記ＭＤＲデータベースが、さらに、
プロセス設定データベースと、
廃棄物データベースと、
遅延データベースと、
原料属性データベースと、
の１つ又はそれ以上を含むものであることを特徴とする方法。
【請求項２】
前記プロセスデータが、所定の時間間隔で、１つ又はそれ以上のＭＤＲデータベースから選択的に取得され、階層組織レベルにおいてＭＤＲデータベースから取得されたプロセスデータを表示する段階を備え、前記レベルは、
前記処理工程の製品／機械の組み合わせを示すグレードレベルと、
複数のＭＤＲデータベースを示すＭＤＲフォルダレベルと、
前記処理工程の製品部品及び／又は機械部分を示すファミリーレベルと、
前記処理工程の製品属性及び／又は機械の変数を示す特性レベルと、
を含むものであることを特徴とする請求項１に記載の方法。
【請求項３】
前記製造処理工程の前記プロセス性能の前記リアルタイムの評価が、特性レベルデータの
現行情報アセスメントと、
目標アセスメントと、
可変性アセスメントと、
最近の変更アセスメントと、
リリース適合アセスメントと、
の１つ又はそれ以上から求められ、
前記製造処理工程のプロセス性能の前記リアルタイムの評価が、一般に認識可能な記号によってグラフィカル・ディスプレイ上に示され、前記一般に認識可能な記号が前記特性レベルのデータアセスメントの関数であることを特徴とする請求項２に記載の方法。
【請求項４】
前記製造参照情報が、サテライト・データベースに格納され、前記サテライト・データベースが、プロセス問題解決データベース、職業上の安全データベース、オペレータ観察データベース、プロセス割り当てデータベース、プロセス制御計画データベース、プロセス・エキスパート・データベース、及び報告データベースの１つ又はそれ以上を含む請求項１に記載の方法。
【請求項５】
ユーザが前記質問を定義し、前記サテライト・データベースに格納された前記製造参照情報を修正する、削除する及び／又はこれに加えるためのマネージャ・アプリケーションを実行するステップをさらに含む請求項１に記載の方法。
【請求項６】
前記製造処理工程に関する前記格納されたプロセスデータが、対応するプロセスデータが前記製造処理工程から収集された日時を示すタイムスタンプデータを含む請求項１に記載の方法。
【請求項７】
前記製造処理工程のプロセス性能のリアルタイムの評価を示すグラフィカル・ディスプレイを与えることが、詳細ビュー、履歴ビュー、及び／又は動画ビューを与えることを含む請求項１に記載の方法。
【請求項８】
製造処理工程のプロセスデータを取り込み、操作して、表示するための統合された製造システムであって、
製造処理工程に関するプロセスデータを格納し、製品品質データベースを含む製造データリソース（ＭＤＲ）データベースと、
前記プロセスデータを前記ＭＤＲデータベースから取得するためのモジュールと、
前記製造処理工程に関する製造参照情報を格納するためのサテライト・データベースと、
前記製造参照情報を前記サテライト・データベースから選択的に取得する質問に応答するインターフェース・アプリケーションと、
前記モジュールにより取得された前記プロセスデータを分析して、前記製造処理工程のプロセス性能のリアルタイムの評価を求め、前記インターフェース・アプリケーションにより取得された前記製造参照情報及び／又は前記分析されたプロセスデータを、視認のために配列するビューア・アプリケーションと、
前記ビューア・アプリケーションを実行して、該ビューア・アプリケーションにより求められた前記プロセス性能のリアルタイムの評価を示すグラフィァル・ディスプレイを与えるユーザ・ステーションと、
を備え、前記ユーザ・ステーションが、ユーザ入力に応答して、質問を前記インターフェース・アプリケーションに与える質問ツールを含み、該ユーザ・ステーションが、前記質問に応答して、前記ビューア・アプリケーションにより構成された前記製造参照情報の参照ディスプレイを与えて、前記製造処理工程を制御しているユーザが、質問ツールを用いて、前記サテライト・データベースに格納された該製造参照情報を選択的に取得する質問を生成し前記グラフィカル・ディスプレイにより与えられた前記プロセス性能の前記リアルタイムの評価に基づく変更を前記製造処理工程に対して行うことが助けられるようになったことを特徴とするシステム。
【請求項９】
前記グラフィカル・ディスプレイが、ＭＤＲデータベースからモジュールにより取得された前記プロセスデータを階層組織レベルにより表示するように構成されており、前記レベルが、
前記製造処理工程の製品／機械の組み合わせを示すグレードレベルと、
複数のＭＤＲデータベースを示すＭＤＲフォルダレベルと、
前記製造処理工程の製品部品及び／又は機械部分を示すファミリーレベルと、
前記製造処理工程の製品属性及び／又は機械の変数の特性レベルと、
を含む請求項８に記載のシステム。
【請求項１０】
前記グレードレベルが前記階層組織フォーマットの最上部レベルにあり、前記ＭＤＲフォルダレベルが該グレードレベルの次のレベルであり、前記ファミリーレベルが該ＭＤＲフォルダレベルの次のレベルであり、前記特性レベルが該ファミリーレベルの次のレベルである請求項９に記載のシステム。
【請求項１１】
前記フラフィカル・ディスプレイが、前記製造処理工程又は該製造処理工程の製品に関する特性レベルの処理データのグラフ表現を含んでおり、前記ユーザ・ステーションが、詳細ビュー、履歴ビュー、及び／又は動画ビューの特性レベルのプロセスデータのグラフ表現を含む請求項９に記載のシステム。
【請求項１２】
前記ＭＤＲデータベースに格納された前記処理データが、前記プロセスデータが前記製造処理工程から収集された日時を示すタイムスタンプデータを含む請求項８に記載のシステム。
【請求項１３】
各々が１つ又はそれ以上の付加的な製造処理工程に関する特性レベルデータを格納する付加的なＭＤＲデータベースを含み、前記製品品質データベースが、ＭＤＲデータベースの１つが、前記製造処理工程により製造された製品の製品重量、製品長さ、及び製品の吸収性のような特性レベルデータを格納するようになっており、前記製品が吸収性材料を含む複合材物品であることを特徴とする請求項８に記載のシステム。
【請求項１４】
各々が１つ又はそれ以上の付加的な製造処理工程に関連する特性レベルデータを格納する付加的なＭＤＲデータベースを含んでおり、前記ＭＤＲデータベースの１つが、前記製造処理工程により製造された製品のプロセス圧力、プロセス温度、プロセス速度、及びプロセス張力のような特性レベルデータを格納するプロセス設定データベースである請求項８に記載のシステム。
【請求項１５】
各々が１つ又はそれ以上の付加的な製造処理工程に関連する特性レベルデータを格納する付加的なＭＤＲデータベースを含んでおり、前記ＭＤＲデータベースの１つが、前記製造処理工程により製造された製品のカル計数のような特性データを格納する廃棄物データベースである請求項８に記載のシステム。
【請求項１６】
各々が１つ又はそれ以上の付加的な製造処理工程に関連する特性レベルデータを格納する付加的なＭＤＲデータベースを含んでおり、前記ＭＤＲデータベースの１つが、前記製造処理工程により製造された製品の処理工程中断時間のような特性データを格納する遅延データベースである請求項８に記載のシステム。
【請求項１７】
各々が１つ又はそれ以上の付加的な製造処理工程に関連する特性レベルデータを格納する付加的なＭＤＲデータベースを含んでおり、前記ＭＤＲデータベースの１つが、前記製造処理工程により製造された製品のロール幅、布の気孔率、及び不透明度のような特性データを格納する原料属性データベースである請求項８に記載のシステム。
【請求項１８】
各々が１つ又はそれ以上の付加的な製造処理工程に関連する特性レベルデータを格納する付加的なＭＤＲデータベースを含んでおり、付加的なモジュールを含み、各々のモジュールが、プロセスデータを、前記ＭＤＲデータベースの１つから取得するように特別に構成されて、１つのモジュールが各々のＭＤＲデータベースに相関されるようになった請求項８に記載のシステム。
【請求項１９】
前記質問ツールが、呼び出し側アプリケーション及び／又はマネージャ・アプリケーションにリンクされた出力装置を含んでおり、前記呼び出し側アプリケーションが、前記出力装置に応答して、前記インターフェース・アプリケーションにより用いられる前記製造参照情報を前記サテライト・データベースから選択的に取得する質問を定義するようになっており、前記マネージャ・アプリケーションが、認可ユーザが、前記サテライト・データベース内の情報を加える、修正する及び/又は削除することを可能にさせるようになった請求項８に記載のシステム。
【請求項２０】
前記サテライト・データベースの１つが、
（ａ）前記製造処理工程に関連するプロセス問題、問題の症状、及び解決ステップのような参照情報を格納する問題解決データベース、
（ｂ）前記製造処理工程に関連する安全関連手順のような参照情報を格納する職業上の安全データベース、
（ｃ）前記製造処理工程に関連するオペレータ観察のような参照情報を格納するフォークロア・データベース、
（ｄ）前記製造処理工程に関連する処理活動リスト、活動実行間隔、及び活動主のような参照情報を格納するプロセス制御計画データベース、
（ｅ）前記製造処理工程に関連するロール幅、布の気孔率、及び不透明度のような参照情報を格納するプロセス割り当てデータベース、
（ｆ）前記製造処理工程に関連する１つ又はそれ以上のプロセス・エキスパートの名前及びアドレスのような参照情報を格納するリソース・データベース、
（ｇ）前記製造処理工程に関連する製品量、製品品質、及びプロセス解釈のような参照情報を格納する報告データベース、
のうちの少なくとも１つであることを特徴とする請求項１９に記載のシステム。